(57)【特許請求の範囲】
【請求項１】
洗い場側を除く外周に立壁を有する浴槽防水パンと、該浴槽防水パン上に設置される浴槽との接続構造であって、
前記浴槽の上端側に外側へ向かって突設されているフランジ部に壁が載置されるとともに、フランジ部の裏面にパッキンが設けられ、該パッキンに前記浴槽防水パンの立壁上端を圧着させ、前記浴槽防水パンの立壁上部に第１の金具を立設して該第１の金具の上端側を前記浴槽のフランジ部外周に立設されている水返し片の上方に臨ませ、該第１の金具に対し第２の金具を前記水返し片を挟むように固定した
ことを特徴とする浴槽防水パンと浴槽の接続構造。
【発明の詳細な説明】
【技術分野】
【０００１】
本発明は、立壁を有する浴槽防水パンと、この浴槽防水パン上に設置される浴槽とを接続する接続構造に関するものである。
【背景技術】
【０００２】
従来、洗い場側を除く外周に立壁を有する浴槽防水パンを備え、この浴槽防水パン上に浴槽が設置されて構成された浴室ユニットが存在し、この浴室ユニットでは、浴槽のフランジ部の裏面にパッキンを介在させて浴槽防水パンの立壁上端を当接させている。
【特許文献１】特開２００３−２９３４１５号公報
【発明の開示】
【発明が解決しようとする課題】
【０００３】
上記特許文献１に開示されている構造では、パッキンは浴室内と浴槽を繋ぐものであり、パッキンは水が侵入する位置に介在されているために、水に強いパッキンである必要があり、高価なパッキンを用いなければならないという問題点があった。
【課題を解決するための手段】
【０００４】
本発明は、安価なパッキンを使用して浴室外に水が漏れることを防ぐことのできる浴槽防水パンと浴槽の接続構造を提供することを目的の１つとし、本願発明は、この目的の少なくとも一部を達成するために、以下の手段をとった。
本発明は、洗い場側を除く外周に立壁を有する浴槽防水パンと、該浴槽防水パン上に設置される浴槽との接続構造であって、
前記浴槽の上端側に外側へ向かって突設されているフランジ部に壁が載置されるとともに、フランジ部の裏面にパッキンが設けられ、該パッキンに前記浴槽防水パンの立壁上端を圧着させ、前記浴槽防水パンの立壁上部に第１の金具を立設して該第１の金具の上端側を前記浴槽のフランジ部外周に立設されている水返し片の上方に臨ませ、該第１の金具に対し第２の金具を前記水返し片を挟むように固定した
ことを要旨とする。
【発明の効果】
【０００５】
本発明では、浴槽と浴槽防水パンの間にパッキンを圧入したものであるため、浴槽側で発生した漏水を浴室ユニット外に漏れないようにすることができ、また、外部からの虫等の侵入を防ぐことができるものとなる。また、パッキンには水が侵入しないために安価なパッキンを使用することが可能となる。
また、浴槽と浴槽防水パンを金具で固定でき、浴槽と浴槽防水パンの間にあるパッキンを一定の力で押さえ付けることができるため、良好な止水性を確保することができるものとなる。
【発明を実施するための最良の形態】
【０００６】
次に、本発明を実施するための最良の形態を実施例を用いて説明する。
図１は、浴室ユニットの概略構成図であり、浴室ユニットは、浴槽防水パン１と、この浴槽防水パン１上に設置される浴槽３と、洗い場パン５と、エプロン４で構成されている。浴槽防水パン１は、洗い場パン５側を除く外周に立壁２が一体形成されており、浴槽３の洗い場パン５側を除く外周をこの立壁２で覆うように構成されたものである。
また、立壁２の存在しない洗い場パン５側にはエプロン４が取り付けられて、浴槽３の洗い場パン５側がエプロン４で閉ざされるものである。
【０００７】
この浴槽防水パン１の立壁２の上端と浴槽３との接続部Ｐの部分を図２の拡大断面図で示す。
浴槽３は、その上端側に外方へ向かって略水平に突設されたフランジ部３ａが一体形成され、このフランジ部３ａには一段高く段部３ｂが形成されており、フランジ部３ａの外側端には、さらに上方へ立ち上げて水返し片３ｃが一体形成されている。なお、浴槽３のフランジ部３ａの裏側には、段部３ｂ付近から下方へ垂設された補強リブ３ｄが一体形成されている。
また、浴槽防水パン１の立壁２は、その上端側に外側へ水平に折り曲げて折曲部２ａが一体形成され、折曲部２ａから上方へさらに立ち上げて上端立壁部２ｂが一体形成されており、上端立壁部２ｂの上端で外側へ略水平に折り曲げて突出部２ｃが一体形成されている。
【０００８】
浴槽３のフランジ部３ａの裏面に、補強リブ３ｄにほぼ当接させた状態で予めパッキン６を貼り付けておく。このパッキン６は、例えば発泡ウレタンあるいはゴムの発泡体で構成されたものであり、材質はどのようなものであっても良く、止水性が確保できるものであれば良い。
【０００９】
本例では、浴槽防水パンの立壁２の上端に第１の金具７が立設されており、この第１の金具７の上端側に第２の金具８をビス９で固定して、第２の金具８と第１の金具７間に浴槽３の水返し片３ｃを挟み込んで、パッキン６を第１の金具７で浴槽３側へ押圧させ、パッキン６が逃げないようにしており、パッキン６に浴槽防水パンの立壁２の上端を外側より圧着させて止水性を確保するように構成したものである。
【００１０】
第１の金具７は、浴槽防水パンの立壁２の上端立壁部２ｂの外側にビス１１で固定される固定片７ａと、この固定片７ａの上端で外側へ折り曲げられて立壁２の突出部２ｃの下面に当接される水平片７ｂと、この水平片７ｂから上方へ向かって一体状に立ち上げられた立上片７ｃで構成されており、立上片７ｃは浴槽の水返し片３ｃよりも上方に位置するように立ち上げ形成されたものである。
【００１１】
また、第２の金具８は、浴室内側から第１の金具７の立上片７ｃにビス９で重ね合わせて固定される固定片８ａと、この固定片８ａの下端から浴室内へ傾斜した傾斜片８ｂと、傾斜片８ｂの下端から垂設されて、水返し片３ｃの内側に配置される壁パネルフレームの立上片１０ｄに当接する当接片８ｃで構成されている。
なお、浴槽のフランジ部３ａ上に壁パネル１０が載置されるが、壁パネル１０の下端裏側には略コの字状断面のフレームが設けられており、このフレームは、水平に延びる水平片１０ａと、水平片１０ａの内端から垂設された垂下片１０ｂと、垂下片１０ｂの下端で水返し片３ｃ側へ水平に延びる底片１０ｃと、底片１０ｃから上方へ立ち上げられて水返し片３ｃに当接する立上片１０ｄで構成されており、このフレームの立上片１０ｄの内側に第２の金具８の当接片８ｃが当接される。
【００１２】
このような構造の接続部Ｐとしたため、浴槽防水パンの立壁２の上端側に第１の金具７を固定させて立設させることで、浴槽３に貼り付けられているパッキン６を外側から押圧して、パッキン６が外側へ逃げるのを良好に防ぐことができるものとなる。また、この第１の金具７に対しビス９で浴室内より第２の金具８を固定することで、浴槽３の水返し片３ｃは第１の金具７の立上片７ｃと第２の金具８の当接片８ｃ間に挟み込まれた状態となり、第２の金具８を介して第１の金具７は浴槽３に強固に固定されることとなる。
【００１３】
この状態では、浴槽防水パンの立壁２の上端は、第１の金具７を介してパッキン６に外側から圧着された状態となる。そのため浴槽３側で発生した漏水は、パッキン６に浴槽防水パンの立壁２が圧着されているため、浴室ユニット外に漏れることはなく、また、浴槽のフランジ部３ａと浴槽防水パンの立壁２の上端と浴槽３に囲まれる空間は塞がれるため、浴室ユニットの外部から虫が浴室内に侵入することも確実に防がれるものとなる。
このように金具７，８を用いてパッキン６を一定の力で浴槽３に押し付け、浴槽防水パンの立壁２の上端をパッキン６に圧着状態で接続して、パッキン６で確実な止水性を確保することができるものである。
【００１４】
なお、本例では、パッキン６には浴槽３側から水が侵入することはなく、そのためパッキン６は水に強いパッキンである必要もなく、安価な材質のパッキン６を用いることができるものである。
【図面の簡単な説明】
【００１５】
【図１】浴室ユニットの概略構成図である。
【図２】図１における浴槽と浴槽防水パンの立壁上端の接続部の拡大縦断面構成図である。
【符号の説明】
【００１６】
１  浴槽防水パン
２  立壁
２ｂ  上端立壁部
２ｃ  突出部
３  浴槽
３ａ  フランジ部
３ｃ  水返し片
３ｄ  補強リブ
４  エプロン
５  洗い場パン
６  パッキン
７  第1の金具
７ａ  固定片
７ｃ  立上片
８  第２の金具
８ａ  固定片
８ｃ  当接片
９，１１  ビス
１０  壁パネル
１０ｄ  壁パネルフレームの立上片
【図１】
0005106975.tif 000002
【図２】
0005106975.tif 000003